(57)【要約】【課題】シリーズで放送される番組を録画して検索画面上で表示する際、操作性を簡易にするとともに、音声情報を基に検索画面の一覧表示を番組ごとに集約することで、ユーザが検索画面を見やすくすることが可能なディジタルテレビジョン受信機の提供を目的とする。【解決手段】マイク１８を介して音声情報を入力するとともに、入力した音声情報に基づいてＲＯＭ１３ｃに記録された音声認識プログラム１００にて音声認識を行う。このとき、音声認識プログラム１００は、取得した音声情報に基づいて、所定の番組情報を基に検索画面に表示された番組情報の集約を行う。【選択図】図１
2008103906.tif 000002
【特許請求の範囲】
【請求項１】
取得した映像データの番組情報をＯＳＤ回路にて検索画面上で一覧表示するディジタルテレビジョン受信機において、
音声情報を取得するマイクと、
当該ディジタルテレビジョン受信機を制御するマイコンと、
上記マイコンが駆動するためのプログラムやテーブルを記録する不揮発性メモリとを有し、
上記不揮発性メモリは、上記マイクが取得した音声情報を上記マイコンが音声認識により認識する音声認識プログラムと、
取得した映像データの所定の番組情報と上記マイコンが認識する音声情報とを対応づけて記録するコマンドテーブルとを記録し、
上記音声認識プログラムは、上記コマンドテーブルが記録する音声情報と番組情報との対応関係を基に、上記ＯＳＤ回路が画面に表示する各映像データの番組情報を、上記マイコンが上記コマンドテーブルに記録された所定の番組情報ごとに集約して上記ＯＳＤ回路に表示させる構成としていることを特徴とするディジタルテレビジョン受信機。
【請求項２】
取得した映像データの番組情報を検索画面表示手段にて検索画面上で一覧表示するディジタルテレビジョン受信機において、
音声情報を取得する音声入力手段と、
上記音声入力手段が取得した音声を認識する音声認識手段と、
取得した映像データの所定の番組情報と上記音声認識手段が認識した音声情報とを対応づけて記録する映像音声情報対応付け手段と、
上記映像音声情報対応付け手段が記録する対応関係を基に、上記検索画面表示手段が画面に表示する各映像データの番組情報を、上記映像音声情報対応付け手段に記録された所定の番組情報ごとに集約して上記検索画面表示手段に表示させる番組情報集約手段とを有することを特徴とするディジタルテレビジョン受信機。
【請求項３】
上記映像音声情報対応付け手段は、上記番組情報集約手段に上記番組情報を集約するための第一の音声情報と、上記番組情報集約手段により集約された番組情報の集約を解除して基の状態に戻す第二の音声情報とを記録することを特徴とする請求項２に記載のディジタルテレビジョン受信機。
【請求項４】
当該ディジタルテレビジョン受信機は、上記番組情報集約手段により番組情報を集約された映像データを、取得したデータの再生時に、連続で再生することを特徴とする請求項２または請求項３のいずれかに記載のディジタルテレビジョン受信機。
【請求項５】
上記検索画面表示手段は、番組情報として放送局、番組タイトル、記録した日付、さらには記録を行った時刻をパラメータとして上記検索画面を構成するとともに、
上記番組情報集約手段は、上記パラメータの放送局、または番組タイトルの少なくとも一つを基に、上記記録した日付と、上記記録を行った時刻を集約することを特徴とする請求項２〜請求項４のいずれかに記載のディジタルテレビジョン受信機。
【発明の詳細な説明】
【技術分野】
【０００１】
画面上に検索画面を表示可能なディジタルテレビジョン受信機に関し、特に音声認識を用いて操作を行うディジタルテレビジョン受信機に関する。
【背景技術】
【０００２】
ディジタルテレビジョン受信機は、ユーザが記録媒体に記録された映像データの検索、並びにテレビジョン放送の放送予定を確認するのに、画面上に検索画面を表示することができる。図２は、画面に表示される検索画面を表す図である。同図より、検索画面は、映像データの番組情報を一覧に表示する構成である。ここで、番組情報とは、テレビジョン放送、並びに映像データの情報を意味し、図中では、「放送局」、「タイトル」、「日付」、「時刻」が表示されている。ユーザは、上記した検索画面を参照すると、一覧として表示された各番組情報を見ながら、映像データの選択または再生を実行する。
【０００３】
上述した検索画面は取得した映像データの数が多ければ多いほど、検索画面に記載される番組情報の量は多量になる。つまり、一週間の番組情報を記録した電子番組表であれば、当然一週間分の番組情報を記載する必要がり、また、記録媒体に記録した映像データの数が多ければ、すべての映像データの番組情報を検索画面上に記載する必要がある。
【０００４】
しかしながら、検索画面に表示する番組情報の数が多くなれば、ユーザは多量な番組情報の中より所望の映像データを選択する必要がある。しかしながら、検索画面に表示された番組情報は多量であり、ユーザは所望の番組情報を迅速に見つけだすことができない。これは、特にシリーズで放送されるテレビジョン放送を記録したときなどに顕著であり、検索画面上に点在する同一番組名の番組情報を見つけ出すのに、ユーザは無用な労力を消費していた。番組検索を迅速に行う方法として、従来以下の方法が開示されている。つまり、リモコン装置等を用いた操作性を改善して、操作を迅速に行う方法として記録媒体に記録された映像データの読み出し、並びに録画予約を音声情報の入力により実行する（例えば、特許文献１、特許文献２参照。）。
【０００５】
また、録画番組の検索画面に録画番組の内容に相応しい分類絵符号の設定を行うことにより、録画番組の内容の把握を簡易に行えるようにした記録再生装置が開示されている（例えば、特許文献３参照。）。
【０００６】
そして、連続で放送される番組を記録した際、検索画面上で別々に表示されることによるユーザの操作の煩雑さを防止するため、同一タイトルでまとめた検索画面を生成することを含めた検索画面の管理方法が開示されている（例えば、特許文献４、特許文献５参照。）。
【特許文献１】特開２００１−１０１８０５
【特許文献２】特開平５−４１８９４
【特許文献３】特開平１１−３２８９３５
【特許文献４】特開２００４−１３３９８４
【特許文献５】特開２００４−３４３５２０
【発明の開示】
【発明が解決しようとする課題】
【０００７】
上述した特許文献１および特許文献２の発明は、次のような課題があった。つまり、音声認識を用いてユーザの操作性を簡易にはしているが、検索画面に表示された番組情報をユーザに見易くすることはできなかった。
【０００８】
また、特許文献３〜請求項５の発明は、次のような課題がった。特許文献２の発明を検索画面に用いた場合、ユーザは表示される一覧を見やすくすることは可能であるが、リモコン装置等を用いた操作の簡易化は以前解消されていない。
【０００９】
本発明は、上記課題にかんがみてなされたもので、シリーズで放送される番組を録画して検索画面上で表示する際、操作性を簡易にするとともに、音声情報を基に検索画面の一覧表示を番組ごとに集約することで、ユーザが検索画面を見やすくすることが可能なディジタルテレビジョン受信機の提供を目的とする。
【課題を解決するための手段】
【００１０】
上記課題を解決するために、本発明の請求項２にかかる発明では、取得した映像データの番組情報を検索画面表示手段にて検索画面上で一覧表示するディジタルテレビジョン受信機において、
音声情報を取得する音声入力手段と、上記音声入力手段が取得した音声を認識する音声認識手段と、取得した映像データの所定の番組情報と上記音声認識手段が認識した音声情報とを対応づけて記録する映像音声情報対応付け手段と、上記映像音声情報対応付け手段が記録する対応関係を基に、上記検索画面表示手段が画面に表示する各映像データの番組情報を、上記映像音声情報対応付け手段に記録された所定の番組情報ごとに集約して上記検索画面表示手段に表示させる番組情報集約手段とを有する構成としている。
【００１１】
上記のように構成された発明では、音声入力手段が取得した音声情報を基に、音声認識により、検索画面に表示される各番組情報を集約して表示する。このとき、検索画面に表示された番組情報の検索方法としては、映像音声情報対応付け手段により取得される音声情報と対応付けて記録した所定の番組情報ごとに集約を行う。これにより、ユーザは、シリーズで放送される番組を録画して検索画面上で表示する際、音声情報を基に検索画面の一覧表示を番組ごとに集約することで、操作性を簡易にするとともに、検索画面に表示された番組情報が見やすくなり、記録した映像データの管理を容易に行うことが可能となる。
【００１２】
また、番組情報集約手段の機能としては、番組情報を集約するのみに限定されず、集約した番組情報を解除する機能を有していてもよい。そのため、請求項３に記載の発明では、上記映像音声情報対応付け手段は、上記番組情報集約手段に上記番組情報を集約するための第一の音声情報と、上記番組情報集約手段により集約された番組情報の集約を解除して基の状態に戻す第二の音声情報とを記録する構成としている。
【００１３】
上記のように構成した発明では、番組情報集約手段は、検索画面に表示される番組情報と集約したり、集約した情報を解除して元の状態に戻すこともできる。これにより、ユーザは番組情報の管理をより一層行い易くするする。
【００１４】
そして、番組情報集約手段により、集約さえた検索画面の使用方法の一例として、請求項４に記載の発明では、当該ディジタルテレビジョン受信機は、上記番組情報集約手段により番組情報を集約された映像データを、取得したデータの再生時に、連続で再生することを特徴とする構成としている。
【００１５】
上記のように構成した発明では、検索画面上で集約された番組情報を選択することにより、集約された番組情報を元に取得された映像データを再生する。これにより、シリーズで放送する番組を取得した場合、検索画面上での選択により連続で再生することができる。
【００１６】
さらに、検索画面表示手段で生成される検索画面の具体的な構成の一例として、請求項５に記載の発明は、上記検索画面表示手段は、番組情報として放送局、番組タイトル、記録した日付、さらには記録を行った時刻をパラメータとして上記検索画面を構成するとともに、
【００１７】
上記番組情報集約手段は、上記パラメータの放送局、または番組タイトルの少なくとも一つを基に、上記記録した日付と、上記記録を行った時刻を集約する構成としてある。
【００１８】
上記のように構成した発明では、番組情報として放送局、番組タイトル、記録した日付、さらには記録を行った時刻をパラメータとして有する検索画面に対応することができ、検索画面を各番組情報に集約させることで、検索画面をユーザの所望の形式に設定することができる。
【００１９】
また、上記課題を解決するための具体的な構成として請求項１に記載の発明は、取得した映像データの番組情報をＯＳＤ回路にて検索画面上で一覧表示するディジタルテレビジョン受信機において、
音声情報を取得するマイクと、当該ディジタルテレビジョン受信機を制御するマイコンと、上記マイコンが駆動するためのプログラムやテーブルを記録する不揮発性メモリとを有し、上記不揮発性メモリは、上記マイクが取得した音声情報を上記マイコンが音声認識により認識する音声認識プログラムと、取得した映像データの所定の番組情報と上記マイコンが認識する音声情報とを対応づけて記録するコマンドテーブルとを記録し、上記音声認識プログラムは、上記コマンドテーブルが記録する音声情報と番組情報との対応関係を基に、上記マイコンが上記ＯＳＤ回路が画面に表示する各映像データの番組情報を、上記コマンドテーブルに記録された所定の番組情報ごとに集約して上記ＯＳＤ回路に表示させる構成としている。
【発明の効果】
【００２０】
以上説明したように本発明によれば、シリーズで放送される番組を録画して検索画面上で表示する際、操作性を簡易にするとともに、音声情報を基に検索画面の一覧表示を番組ごとに集約することで、ユーザが検索画面を見やすくすることが可能となり、それにより取得した映像データの管理を行い易くすることができる。
また請求項３にかかる発明によれば、番組情報の管理をより一層行い易くすることができる。
そして請求項４にかかる発明によれば、シリーズで放送する番組を取得した場合、検索画面上での選択により連続で再生することができる。
さらに請求項５にかかる発明によれば、検索画面を各番組情報に集約させることで、検索画面をユーザの所望の形式に設定することができる。
さらに請求項１のような、より具体的な構成において、上述した請求項２〜請求項５の各発明と同様の作用を奏することはいうまでもない。
【発明を実施するための最良の形態】
【００２１】
以下、下記の順序に従って本発明のディジタルテレビジョン受信機の実施形態を説明する。
（１）第一の実施の形態
（１−１）ディジタルテレビジョン受信機の構成
（１−２）音声認識の手法
（１−３）番組情報表示方法
（２）第一の実施の形態のまとめ
（３）第二の実施の形態
（４）第二の実施の形態のまとめ
【００２２】
（１）第一の実施の形態
（１−１）ディジタルテレビジョン受信機の構成
以下図１〜図６を参照して本発明のディジタルテレビジョン受信機１０の説明を行う。図１はディジタルテレビジョン受信機のブロック構成図である。ディジタルテレビジョン受信機１０は、テレビジョン放送または、外部からのビデオ信号を取得して、映像と音声を出力するとともに、取得した映像データの番組情報を取得して画面上で一覧表示する。さらに、本発明のディジタルテレビジョン受信機１０は、ユーザより取得した音声情報を基に、画面上に表示する番組情報を集約して表示することが可能である。
【００２３】
上述した機能を実現するため、ディジタルテレビジョン受信機１０は、アンテナ２０が受信するテレビジョン放送よりユーザが所望のビデオ信号を検波するチューナ部１１と、外部機器と接続してビデオ信号を受信する外部入力端子１９と、チューナ部１１および外部入力端子１９より受信したビデオ信号より、映像信号、音声信号、および同期信号とを分離する同期分離回路１２と、同期分離回路１２が分離した映像信号と音声信号にマイコン１３ａの指示の基、所定の信号処理を施す制御部１３と、リモコン装置３０の操作による指示をマイコン１３ａに出力するリモコンＩ／Ｆ１４と、入力されたビデオ信号を記録するＨＤＤ記録部１５と、映像を表示するための表示パネル１６、音声を出力するためのスピーカ１７とから構成されている。さらに、ユーザが発声した音声を音声コマンドとして受け付けるマイク１８とを有している。
【００２４】
本発明の実施の形態でのディジタルテレビジョン受信機１０のチューナ部１１は、アナログ放送とディジタル放送との両方を受信可能な構成としている。しかしながら、チューナ部１１の構成はこれに限定されず、ディジタル放送のみを受信する構成としてもよい。また、表示パネル１６は、液晶パネルディスプレイ、プラズマパネルディスプレイ、さらにはブラウン管ディスプレイのいずれかで構成されている。
【００２５】
上述した構成のディジタルテレビジョン受信機１０の具体的な機能について説明する。ユーザがリモコン装置３０を用いてチャネルの選択を行うと、リモコンＩ／Ｆ１４を介して操作信号がマイコン１３ａに出力される。マイコン１３ａは上記信号を受け取ると、チューナ部１１にリモコン装置３０により選択されたチャネルに対応した放送を受信するよう指示を出す。チューナ部１１はマイコン１３ａからの制御信号を受けて、アンテナ２０が受信したテレビジョン放送より選択されたチャネルに対応するビデオ信号を検波して同期分離回路１２に出力する。
【００２６】
チューナ部１１より出力されたビデオ信号は、同期分離回路１２に出力され、同期分離回路１２はビデオ信号より同期信号と映像信号さらには音声信号を分離して、制御部１３に出力する。制御部１３は、マイコン１３ａの指示の基、映像信号と音声信号に所定の信号処理を行うものである。そのため、制御部１３は、マイコン１３ａが駆動するためのプログラム等を記録するＲＯＭ１３ｃや、マイコン１３ａのワークテーブルとして働くＲＡＭ１３ｂ、映像信号に所定の信号処理を施すスケーラ部１３ｄ、さらには音声信号に所定の信号処理を施す音声回路１３ｅとを有している。
【００２７】
本発明の実施の形態でのマイク１８は、当該ディジタルテレビジョン受信機１０に対して図示しない接続端子を介して取り外し可能に接続され、音声情報をディジタルテレビジョン受信機１０に入力する。また、マイク１８の構成としては、当該ディジタルテレビジョン受信機１０と接続端子を介して接続するものに限定されない。マイク１８の他の構成としては、リモコン装置３０にマイク１８が実装される構成としてもよい。この場合、マイク１８を介して入力される音声情報は、Ａ／Ｄ変換された後、赤外線信号に変換される。これにより音声情報はリモコンコードとしてリモコンＩ／Ｆ１４に受信される。リモコンＩ／Ｆ１４は、受信した赤外線信号を再度電気信号に変換し、マイコン１３ａに出力する。これにより、リモコン装置３０に実装されたマイク１８を介して、音声情報が当該ディジタルテレビジョン受信機１０に出力される。
【００２８】
上記構成により、同期分離回路１２を介して入力された映像信号は、スケーラ部１３ｄにて信号処理を用いた画質調整が行われるとともに表示パネル１６の画素数に合わせてスケーリング処理を施され、表示パネル１６に出力される。また同様に、音声信号も音声回路１３ｅにてトーンコントロールや増幅が行われ、音声を出力するスピーカ１７に出力される。  
【００２９】
また、テレビジョン放送より抽出した、ビデオ信号に電子番組表が重畳されて入力された場合は、同期分離回路１２により電子番組表に対応するデータの分離を行い、ＲＯＭ１３ｃに記録する。さらに、ディジタルテレビジョン放送の場合では、ビデオ信号に重畳されて番組タイトルや番組ジャンル等の番組情報が送信されるため、電子番組表と同様な手法により、ビデオ信号と分離されＲＯＭ１３ｃに記録する。その後、リモコン装置３０の操作に基づいて、電子番組表の表示の指示が行われると、マイコン１３ａは、ＲＯＭ１３ｃに記録された電子番組表のデータを読み出し、ＯＳＤ回路１３ｄ１に、番組情報の一覧を作成するよう指示を出す。ＯＳＤ回路１３ｄ１は上述した指示を受けて番組情報の一覧を作成した後、スケーラ部１３ｄにデータを出力する。
【００３０】
次に、取得したビデオ信号を映像データとして記録する場合を説明する。ユーザからリモコン装置３０を用いてビデオ信号の録画が指示されると、ビデオ信号は、同期分離回路１２を介してＨＤＤ記録部１５へ出力される。ＨＤＤ記録部１５は、記録媒体として不揮発性メモリとしてのＨＤＤ１５ａを有するとともに、取得した映像データを圧縮して記録領域に記録する。さらに、映像データの再生時には、映像データの圧縮を解凍して制御部１３に出力する。そのため、ＨＤＤ記録部１５は、記録媒体であるＨＤＤ１５ａと、ビデオ信号を圧縮するエンコーダ１５ｂ、さらには圧縮されたビデオ信号を解凍するデコーダ１５ｃと、上記エンコーダ１５ｂとデコーダ１５ｃとを制御するコントローラ１５ｄとを有している。
【００３１】
ＨＤＤ記録部１５の構成については、周知技術であるため、ここでは簡易的な説明に留める。同期分離回路１２を介して入力された映像データは、ＨＤＤ記録部１５に出力される。このとき、入力された映像データがアナログ放送であれば、コントローラ１５ｄによりビデオ信号はエンコーダ１５ｂに出力される。エンコーダ１５ｂは、ビデオ信号をＭＰＥＧ方式により圧縮する。その後、コントローラ１５ｄは、圧縮されたデータをＨＤＤ１５ａの所定のメモリ領域に記録する。また、入力されたビデオ信号がディジタル放送であれば、ビデオ信号は予めＭＰＥＧ方式にて圧縮されているため、コントローラ１５ｄは、録画方法の指示がない場合は、ビデオ信号のデータをそのままＨＤＤ１５ａに記録する。  
【００３２】
上述したようにエンコーダ１５ｂにて圧縮が行われた後、コントローラ１５ｄにて圧縮されたデータをＨＤＤ１５ａへ記録する。その後、ユーザがリモコン装置３０の操作によってビデオ信号の再生を指示すると、コントローラ１５ｄは、ＨＤＤ１５ａに記録されたデータの読み出しを行い、デコーダ１５ｃに出力する。さらに、デコーダ１５ｃにより圧縮の解凍が行われ、その後、制御部１３に出力され映像や音声を出力することとなる。
【００３３】
さらに、このときディジタルテレビジョン受信機１０は、取得した映像データに基づいて、画面上に番組情報の一覧を表示する検索画面を作成する。検索画面に表示される番組情報は、取得した映像データに重畳されており、同期分離回路１２により映像データから分離した後、ＲＯＭ１３ｃに記録される。番組情報の一例としては、放送局、番組タイトル、放送日時等が挙げられる。記録方法の一例としては、番組情報テーブル１１０を用いて記録する方法が挙げられる。
【００３４】
図２は、ＲＯＭ１３ｃに記録する番組情報テーブル１１０を表す図である。同図より、番組情報テーブル１１０は図中左端より、番組情報が記録され、各番組情報に対応して図中右側に、映像データが記録されるＲＯＭ１３ｃのアドレスが記録されている。映像データがＨＤＤ１５ａに記録される際、マイコン１３ａは番組情報テーブル１１０を用いてＯＳＤ回路１３ｄ１に検索画面の作成を指示するとともに、検索画面上で番組情報を選択した際、選択された番組情報に対応する映像データが記録されたアドレスを、番組情報テーブル１１０から特定して、映像データの再生を行う。これによりＯＳＤ回路１３ｄ１は検索画面表示手段を実現する。  上述した構成により、ディジタルテレビジョン受信機１０は、取得した映像データに基づいて映像を表示するとともに、取得した番組情報を基に、番組情報の一覧を検索画面上に表示する。また、本発明のディジタルテレビジョン受信機１０は、マイク１８から入力された音声情報に基づいて、検索画面に表示される番組情報の集約を行う。これにより、シリーズで放送された番組の映像データを記録する場合、操作を簡易にするとともに検索画面を整理することで、番組情報の管理を行い易くする。
【００３５】
（１−２）音声認識の手法
本発明の音声認識の一例とて、ＲＯＭ１３ｃに記録した音声認識プログラム１００と、マイク１８より入力した音声情報に基づいて、マイコン１３ａが所定の処理を実行することにより音声認識を実行する。ＲＯＭ１３ｃに記録されたプログラムの一例としては、例えば、Juliusという音声認識ソフトが用いられて、膨大な音声パターンと言語パターンの統計データを集積することにより実現される。具体的には、ＲＯＭ１３ｃには、音響モデルパターンテーブル１００ａ、コマンドテーブル１００ｂ、識別情報抽出プログラム１００ｃ、音響モデルパターン取得プログラム１００ｄ、コマンド情報抽出プログラム１００ｅ、算出プログラム１００ｆ、制御プログラム１００ｇ等か記録されている。
【００３６】
音響モデルパターンテーブル１００ａは、ユーザを識別する音声情報からなる識別情報と、音声信号の周波数パターンに関する音響モデルパターンとを対応付けて記録することができる。さらに、一つの識別情報に対して複数の音響モデルパターンとを対応付けて記録可能に構成され、算出プログラム１００ｆにより算出された音声認識率を、識別情報ごとに、且つ音響パターン毎に記録したテーブルである。具体的には、音響モデルパターンテーブルには、例えば、ユーザ１は、音響情報「ＡＡＡ」からなる識別情報を有し、かかる識別情報に対して複数の音響モデルパターンＡ、Ｂ、Ｃと、音声認識率が対応付けられて記録されている。
【００３７】
コマンドテーブル１００ｂは、ディジタルテレビジョン受信機１０を制御するための音声情報と、コマンド情報とを対応付けて記録したテーブルである。本発明のコマンドテーブルには、音声情報としてユーザから取得される音声が記録され、コマンド情報として検索画面の番組情報の集約を行うための対象となる番組情報が記録される。表また、音声情報並びにコマンド情報は、後述する制御プログラム１００ｇにてユーザが書き換えることが可能である。これによりコマンドテーブル１００ｂは、映像音声情報対応付け手段を実現する。
【００３８】
識別情報抽出プログラム１００ｃは、マイコン１３ａに、マイク１８により取得された音声情報に基づき音声認識を行い、識別情報を抽出する機能を有するプログラムである。音声認識の基本原理は、音響モデル（音素（ローマ字一文字にほほ相当）や音節（かな１文字に相当））の周波数パターンを保持し、単語辞書と呼ばれるデータを参照しながら、入力された音声の音声波形信号から単音節部分を抜き出した音節列信号とマッチングを行い、音声の認識を行う。
【００３９】
具体的には、マイコン１３ａは、マイク１８より取得された音声情報の音声認識を予め設定された音響モデルパターンを用いて行い、音響モデルパターンテーブル１００ａに記録された識別情報の中から一致する識別情報を抽出する。また、音響モデルパターンテーブル１００ａに記録される識別情報は新たに記録させることが可能である。具体的な方法としては、後述する制御プログラム１００ｇによる設定時に、ユーザがマイク１８を用いて音声情報を入力することにより新たな識別情報を記録させることができる。
【００４０】
音響モデルパターン取得プログラム１００ｄは、マイコン１３ａに、識別情報抽出プログラム１００ｃの実行により抽出された識別情報に対応する音響モデルパターンを音響モデルパターンテーブル１００ａから取得する機能を実現するプログラムである。具体的には、マイコン１３ａは、音響モデルパターン取得プログラム１００ｄを実行することにより、識別情報抽出プログラム１００ｃの実行により抽出された識別情報に対応する音響モデルパターンを音響モデルパターンテーブル１００ａより取得し、また、識別情報抽出プログラム１００ｃにより抽出された識別情報に複数の音響モデルパターンが対応付けされて音響モデルパターンテーブル１００ａに記録されている場合、当該識別情報に対応付けられた音響モデルパターンの音声認識率の高い順に音声モデルパターンを取得する。例えば、「覚えた」からなる識別情報が抽出された場合、マイコン１３ａは、最初に、音声認識率の一番高い音響モデルパターンＡを取得し、次に、音響モデルパターンＢ、音響モデルパターンＣの順で取得する。
【００４１】
コマンド情報抽出プログラム１００ｅは、マイコン１３ａに、マイク１８により取得された音声情報の音声認識を行い、音声認識結果に基づくコマンド情報を抽出する機能を実現させるプログラムである。具体的には、マイコン１３ａは、コマンド情報抽出プログラム１００ｅを実行することにより、音響モデルパターンテーブル１００ａにより取得された音響モデルパターンを用いて音声情報の音声認識を行い、コマンドテーブル１００ｂに記録されたコマンド情報の中から一致するコマンド情報を抽出する。
【００４２】
算出プログラム１００ｆは、マイコン１３ａに音声認識結果に基づく、音声認識率を算出するプログラムである。具体的には、マイコン１３ａは、算出プログラム１００ｆを実行することにより、音響モデルパターンテーブル１００ａに記録された、識別情報毎ごとであって、且つ音響モデルパターンテーブル毎に、コマンド情報抽出プログラム１００ｅの実行による音声認識率を算出する。上述した各プログラムによる処理、は制御プログラム１００ｇにより制御され、上記説明のように、マイコン１３ａはマイク１８により取得された音声情報に音声認識を行う。また、制御プログラム１００ｇは、音声認識を行った後、音声認識結果に基づいて、検索画面に表示された番組情報の集約を行う。これによりマイコン１３ａとＲＯＭ１３ｃにて音声認識手段、さらには番組情報集約手段を実現する。
【００４３】
（１−３）番組情報表示方法
図３は、画面に表示される検索画面を表す図である。同図は、ＨＤＤ１５ａに録画されたデータを基に番組情報の一覧を作成している。同図より、図中左端より、放送局、タイトル、録画を行った日付、録画時刻が各映像データごとに記録されている。図に示された、番組情報は、ＨＤＤ１５ａに記録された全ての映像データごとに作成され、ユーザは、その全ての番組情報を表示させることが可能である。このとき、ユーザが毎週月曜日のＰＭ９：００から放送されるドラマ１と、毎週火曜日のＰＭ１０：００から放送されるドラマ２を６月１０日から６月１４日まで録画したとすると、図３に表されるように、「ドラマ１」と「ドラマ２」とが続けて表示される。
【００４４】
このとき、ユーザがマイク１８より音声情報入力することで、図４のように検索画面が変更される。同図より、変更後の検索画面は、番組情報の「放送局Ａ」「ドラマ１」「ＰＭ９：００〜ＰＭ１０：００」にて集約され、日付が「６月１０（月）〜１４（火）」と変更される。これにより、検索画面は、番組情報が集約されて検索画面は見やすくなる。上述した機能は、マイコン１３ａとＲＯＭ１３ｃに記録された制御プログラム１００ｇにより実現される。
【００４５】
以下に、制御プログラム１００ｇによりマイコン１３ａが実行するフローチャートに基づいて、本発明の制御の説明を行う。図５は、制御プログラム１００ｇによりマイコン１３ａが実行するフローチャートである。マイク１８より音声情報が取得されると、マイコン１３ａは、ＲＯＭ１３ｃに記録された各プログラムを基に、音声認識を実行する（ステップＳ１００）。さらに、マイコン１３ａは、ＲＯＭ１３ｃに記録されたコマンドテーブル１００ｂを読み出し（ステップＳ１１０）、音声認識の結果とコマンドテーブル１００ｂに記録された認識情報とを比較する。このとき、取得された音声情報が認識情報と一致すれば、マイコン１３ａは、一致した認識情報に対応するコマンド情報を取得する。（ステップＳ１２０〜Ｓ１４０）。逆に、コマンドテーブル１００ｂに記録された認識情報と取得された音声情報が一致しなければ、マイコン１３ａは再度音声情報を受け入れる。
【００４６】
図６は、一例としてのコマンドテーブル１００ｂを表す図である。同図より、認識情報として、「まとめて」が記録され、それに対応するコマンド情報として「ドラマ１」が記録されている。さらに、認識情報「分けて」にコマンド情報「ドラマ２」が記録されている。これにより、ユーザがマイク１８より音声情報「まとめて」を入力すると、番組情報「ドラマ１」に対応した各番組情報が集約され、一つに集約される。また、検索画面の変更は、番組情報の集約だけに限定されず、コマンドテーブル１００ｂに記録した音声情報「分けて」を入力することにより、集約した検索画面を元の状態に戻すものであってもよい。また、前述したようにコマンドテーブル１００ｂに記録される認識情報並びにコマンド情報は、制御プログラムによりユーザの任意の認識情報並びにコマンド情報に書き換えることが可能である。
【００４７】
ステップＳ１３０にて、マイコン１３ａは、コマンドテーブル１００ｂに記録された認識情報に対応したコマンド情報を、コマンド情報抽出プログラム１００ｅを用いて取得すると（ステップＳ１４０）、マイコン１３ａは図２に示した番組情報テーブル１１０の、ステップＳ１４０にて取得したコマンド情報に対応する箇所を参照する（ステップＳ１５０）。その後、マイコン１３ａは、ＯＳＤ回路１３ｄ１に番組情報テーブル１１０の参照箇所を集約するよう指示を出す（ステップＳ１６０）。具体的には、マイコン１３ａが取得したコマンド情報が「ドラマ１」であれば、マイコン１３ａは、番組情報テーブル１１０の「ドラマ１」が記録された欄を参照して、上記参照した箇所を集約するよう指示を出す。
【００４８】
ＯＳＤ回路１３ｄ１が番組情報を集約する方法としては、本発明の実施の形態では、同じ番組情報でまとめて、異なる番組情報（ここでは、日付）を集約させる構成としている。しかしながら、集約方法としては、上記方法に限定されず、表示する検索画面に応じて変形するものであればよい。また、上述した説明では、ドラマ１のみを集約したが、ドラマ２に対しても同様に集約するものであってもよい。この場合、コマンドテーブル１００ｂのコマンド情報には、ドラマ１とドラマ２とが記録されていればよい。これにより、画面上では、検索画面は任意の番組情報により表示される番組情報が集約され、検索画面が見やすくなる。
【００４９】
（２）第一の実施の形態のまとめ
上述した説明により、マイコン１３ａは、取得した音声情報に基づいて検索画面に表示された番組情報を集約する。これにより、ドラマ等のシリーズで放送される番組を録画して検索画面上で番組情報を表示する際、音声情報を基に検索画面の一覧表示を番組ごとに集約して画面を見易くすることができ、ユーザは映像データの管理を容易に行うことができる。
【００５０】
（３）第二の実施の形態
前述したように、第一の実施の形態では、ユーザは音声情報を入力して検索画面に表示される番組情報の一覧を整理することができる。そこで、第二の実施の形態では、検索画面を整理した後整理した番組情報に基づいて取得した放送を連続で再生する構成としている。つまり、図３にて、検索画面を整理した後、番組情報の「ドラマ１」を画面上で選択することにより、集約された１０月１０日から１０月１４日までの情報を連続で再生することが可能である。
【００５１】
上述した第二の実施の形態での機能を実現するために、マイコン１３ａは、ＲＯＭ１３ｃに記録された番組情報テーブル１１０を組み替え、集約された番組情報に対応した新たな番組情報テーブル１１０を作成する。以下に、第二の実施の形態でのマイコン１３ａが実行する制御プログラムのフローチャートを基に説明を行う。図７は、第二の実施の形態でのマイコンが実行する制御プログラムのフローチャートである。同フローチャートは、図５のフローチャートと、ステップＳ１６０までが同一であるため、ここでは、Ｓ１６０以降を中心に説明を行う。
【００５２】
ステップＳ２６０にて、マイコン１３ａが集約した検索画面の表示をＯＳＤ回路１３ｄ１に指示した後、ユーザが検索画面上で、番組情報の選択を行うと（ステップＳ２７０）、マイコン１３ａは、取得したコマンド情報を基に集約を行った新たな番組情報テーブル１１０を作成する（ステップＳ２８０）。図８は、新たに作成される番組情報テーブル１１０を表す図である。同図より、番組情報テーブル１１０は、同一の番組情報ごとにまとめられ、それに対応する映像データが記録されたＨＤＤ１５ａのアドレスが記録されている。具体的には、集約された番組情報である「放送局Ａ」「ドラマ１」「日付」「時刻」と、それに対応する各アドレスが記録されている。マイコン１３ａは作成した番組情報テーブル１１０を基に、ＨＤＤ１５ａに記録された映像データのアドレスの特定を行い、映像データを再生するようコントローラ１５ｄに指示を出す（ステップＳ２９０）。これにより、コントローラ１５ｄは、ＨＤＤ１５ａに記録された映像データの特定を行い、圧縮を解凍してスケーラ部１３ｄに出力する。
これにより、画面上では、集約された検索画面に対応して、ドラマ１が連続して再生されることとなる。
【００５３】
（４）第二の実施の形態のまとめ
以上説明したように、第二の実施の形態では音声情報に基づいて検索画面に表示される番組情報を所定の番組情報にて集約するとともに、整理した番組情報に基づいて映像データの再生を連続して行う。これにより、ユーザは、例えば取り溜めした映像データを所望の時間に連続して再生することができ、ディジタルテレビジョン受信機の使い勝手を向上させる。
【００５４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５５】
【図１】ディジタルテレビジョン受信機のブロック構成図である。
【図２】ＲＯＭに記録する番組情報テーブルを表す図である。
【図３】画面に表示される検索画面を表す図である。
【図４】画面に表示される検索画面を表す図である。
【図５】制御プログラムによりマイコンが実行するフローチャートである。
【図６】一例としてのコマンドテーブル１００ｂを表す図である。
【図７】第二の実施の形態でのマイコンが実行する制御プログラムのフローチャートである。
【図８】、新たに作成される番組情報テーブルを表す図である。
【符号の説明】
【００５６】
１０…ディジタルテレビジョン受信機、１１…チューナ部、１２…同期分離回路、１３…制御部、１３ａ…マイコン、１３ｂ…ＲＡＭ、１３ｃ…ＲＯＭ、１３ｄ…スケーラ部、１３ｄ１…ＯＳＤ回路、１３ｅ…音声回路、１４…リモコンＩ／Ｆ、１５…ＨＤＤ記録部、１５ａ…ＨＤＤ、１５ｂ…エンコーダ、１５ｃ…デコーダ、１５ｄ…コントローラ、１６…表示パネル、１７…スピーカ、１８…マイク、１９…外部入力端子、２０…アンテナ、３０…リモコン装置、１００…音声認識プログラム、１００ａ…音響モデルパターンテーブル、１００ｂ…コマンドテーブル、１００ｃ…識別情報抽出プログラム、１００ｄ…音響モデルパターン取得プログラム、１００ｅ…コマンド情報抽出プログラム、１００ｆ…算出プログラム、１００ｇ…制御プログラム、１１０…番組情報テーブル
【図１】
2008103906.tif 000003
【図２】
2008103906.tif 000004
【図３】
2008103906.tif 000005
【図４】
2008103906.tif 000006
【図５】
2008103906.tif 000007
【図６】
2008103906.tif 000008
【図７】
2008103906.tif 000009
【図８】
2008103906.tif 000010